(57)【要約】  【解決手段】  本発明は、ＲＦＩＤ対応のゲーム用貨幣を読み取る携帯型ゲーム用貨幣読取装置に関する。一例として、ある携帯型ゲーム用貨幣読取装置は、貨幣読み取り面を有する携帯型読取装置ハウジングと、前記貨幣読み取り面上に配置されたシールドアンテナであって、前記貨幣読み取り面上に配置されたＲＦＩＤ対応のゲーム用貨幣に組み込まれた各ＲＦＩＤタグのメモリを読み取り、当該メモリと通信するように構成されているものである、前記シールドアンテナと、前記シールドアンテナと接続されたＲＦＩＤ読取装置であって、前記シールドアンテナと通信して、前記貨幣読み取り面上に配置されたＲＦＩＤ対応のゲーム用貨幣と関連付けられた各ＲＦＩＤタグの識別、読み取り、および書き込みを行うものである、前記ＲＦＩＤ読取装置とを有する。前記読取装置は、さらに、前記貨幣読み取り面上に配置されたＲＦＩＤ対応のゲーム用貨幣に関する情報（数量および金額など）を表示するように構成されたディスプレイを備える。  【選択図】    図４
2013544005.tif 000002
【特許請求の範囲】
【請求項１】
ＲＦＩＤ対応のゲーム用貨幣を読み取る携帯型ゲーム用貨幣読取装置であって、
貨幣読み取り面を有する携帯型読取装置ハウジングと、
前記貨幣読み取り面に近接して配置されたシールドアンテナであって、前記貨幣読み取り面上に配置された前記ＲＦＩＤ対応のゲーム用貨幣に組み込まれた各ＲＦＩＤタグのメモリを読み取り、当該メモリと通信するように構成されているものである、前記シールドアンテナと、
前記シールドアンテナと接続されたＲＦＩＤ読取装置であって、前記シールドアンテナと通信して前記貨幣読み取り面上に配置されたＲＦＩＤ対応のゲーム用貨幣に組み込まれた各ＲＦＩＤタグの識別、読み取り、および書き込みを行うものである、前記ＲＦＩＤ読取装置と、
前記貨幣読み取り面上に配置されたＲＦＩＤ対応のゲーム用貨幣に関する情報を表示するように構成されたディスプレイと、
前記ＲＦＩＤ読取装置および前記ディスプレイに電力を供給する電源と
を有する携帯型ゲーム用貨幣読取装置。
【請求項２】
請求項１記載の携帯型ゲーム用貨幣読取装置において、前記シールドアンテナは二軸アンテナであり、前記貨幣読み取り面上において２つの方向に配置されたＲＦＩＤ対応のゲーム用貨幣と関連付けられた各ＲＦＩＤタグの識別、読み取り、および書き込みを行うものである携帯型ゲーム用貨幣読取装置。
【請求項３】
請求項１記載の携帯型ゲーム用貨幣読取装置において、前記シールドアンテナは三軸アンテナであり、前記貨幣読み取り面上において３つの方向に配置されたＲＦＩＤ対応のゲーム用貨幣と関連付けられた各ＲＦＩＤタグの識別、読み取り、および書き込みを行うものである携帯型ゲーム用貨幣読取装置。
【請求項４】
請求項１記載の携帯型ゲーム用貨幣読取装置において、前記貨幣読み取り面の前記シールドアンテナは、前記貨幣読み取り面の幅方向に沿うｘ軸と、前記貨幣読み取り面の縦方向に沿うｙ軸と、前記貨幣読み取り面に対して垂直なｚ軸とを有する携帯型ゲーム用貨幣読取装置。
【請求項５】
請求項４記載の携帯型ゲーム用貨幣読取装置において、前記シールドアンテナは、その中心軸が前記ｚ軸と平行に配置されたＲＦＩＤ対応のゲーム用貨幣と通信するように構成されている携帯型ゲーム用貨幣読取装置。
【請求項６】
請求項５記載の携帯型ゲーム用貨幣読取装置において、前記シールドアンテナは、その中心軸が前記ｙ軸と平行に配置されたＲＦＩＤ対応のゲーム用貨幣と通信するように構成されている携帯型ゲーム用貨幣読取装置。
【請求項７】
請求項６記載の携帯型ゲーム用貨幣読取装置において、前記シールドアンテナは、その中心軸が前記ｘ軸と平行に配置されたＲＦＩＤ対応のゲーム用貨幣と通信するように構成されている携帯型ゲーム用貨幣読取装置。
【請求項８】
請求項１記載の携帯型ゲーム用貨幣読取装置において、前記ディスプレイが、前記貨幣読み取り面上に配置された前記カジノ用貨幣の総個数および総金額の双方を表示する携帯型ゲーム用貨幣読取装置。
【請求項９】
携帯型ゲーム用貨幣読取装置を用いてＲＦＩＤ対応のゲーム用貨幣を読み取るための方法であって、
貨幣読み取り面と、当該貨幣読み取り面に近接して配置されたシールドアンテナと接続されたＲＦＩＤ読取装置と、当該貨幣読み取り面上に配置された前記ゲーム用貨幣の数量および金額の双方を表示するディスプレイと、前記ＲＦＩＤ読取装置および前記ディスプレイに電力を供給する電源とを有する携帯型ゲーム用貨幣読取装置を提供する工程と、
前記携帯型ゲーム用貨幣読取装置に対する前記電源を起動する工程と、
前記ＲＦＩＤ対応のゲーム用貨幣と関連付けられた少なくとも１つのＲＦＩＤタグを有する当該該ＲＦＩＤ対応のゲーム用貨幣を前記貨幣読み取り面上に配置する工程と、
前記ＲＦＩＤ読取装置と前記シールドアンテナとの間で通信して、前記貨幣読み取り面上に配置された前記ＲＦＩＤ対応のゲーム用貨幣と関連付けられた前記少なくとも１つのＲＦＩＤタグの識別、読み取り、および書き込みを行う工程と、
前記貨幣読み取り面上に配置された前記ＲＦＩＤ対応のゲーム用貨幣に関する情報を前記ディスプレイに表示する工程と
を有する方法。
【請求項１０】
請求項９記載の方法において、さらに、
前記貨幣読み取り面上に配置された前記カジノ用貨幣が真正かつ正当なカジノ用貨幣であるか否かを識別する工程と、
認証結果を前記ディスプレイに表示する工程と
を有するものである方法。
【請求項１１】
請求項１０記載の方法において、さらに、
前記貨幣読み取り面上に配置されたＲＦＩＤ対応のゲーム用貨幣の数量および金額の双方を表示する工程を有するものである方法。
【請求項１２】
請求項１１記載の方法において、さらに、
前記貨幣読み取り面上に配置された非ＲＦＩＤ対応のゲーム用貨幣に対してエラーメッセージを表示する工程を有するものである方法。
【請求項１３】
請求項１２記載の方法において、さらに、
前記貨幣読み取り面上に配置された、カジノと関連のないＲＦＩＤ対応のゲーム用貨幣に対してエラーメッセージを表示する工程を有するものである方法。
【請求項１４】
請求項９記載の方法において、前記貨幣読み取り面は、前記貨幣読み取り面の幅方向に沿うｘ軸と、前記貨幣読み取り面の縦方向に沿うｙ軸と、前記貨幣読み取り面に対して垂直なｚ軸とを有し、
当該方法は、さらに、
前記ゲーム用貨幣の中心線がｚ軸と平行となるように、前記ＲＦＩＤ対応の貨幣を前記貨幣読み取り面上に配置する工程を有する方法。
【請求項１５】
請求項１４記載の方法において、さらに、
前記ゲーム用貨幣の中心線がｙ軸と平行となるように、前記ＲＦＩＤ対応の貨幣を前記貨幣読み取り面上に配置する工程を有するものである方法。
【請求項１６】
請求項１５記載の方法において、さらに、
前記ゲーム用貨幣の中心線がｘ軸と平行となるように、前記ＲＦＩＤ対応の貨幣を前記貨幣読み取り面上に配置する工程を有するものである方法。
【請求項１７】
ＲＦＩＤ対応のゲーム用貨幣を読み取るための携帯型ゲーム用貨幣読取装置を提供する方法であって、
貨幣読み取り面を有する携帯型読取装置ハウジングを提供する工程と、
前記貨幣読み取り面に近接して配置されるシールドアンテナを提供する工程であって、当該シールドアンテナは、前記貨幣読み取り面上に配置された前記ＲＦＩＤ対応のゲーム用貨幣に組み込まれた各ＲＦＩＤタグのメモリを読み取り、当該メモリと通信するように構成されているものである、前記提供する工程と、
前記シールドアンテナと接続されたＲＦＩＤ読取装置を提供する工程であって、当該ＲＦＩＤ読取装置は前記シールドアンテナと通信して、前記貨幣読み取り面上に配置された前記ＲＦＩＤ対応のゲーム用貨幣に組み込まれた各ＲＦＩＤタグの識別、読み取り、および書き込みを行うように構成されているものである、前記提供する工程と、
前記貨幣読み取り面上に配置された前記ＲＦＩＤ対応のゲーム用貨幣に関する情報を表示するように構成されているディスプレイを提供する工程と、
前記ＲＦＩＤ読取装置および前記ディスプレイに電力を供給する電源を提供する工程と
を有する方法。
【発明の詳細な説明】
【技術分野】
【０００１】
本発明は、ゲーム用貨幣（ｇａｍｉｎｇ  ｃｕｒｒｅｎｃｙ）を認証するためにＲＦＩＤ技術を利用した携帯型読取装置に関する。より具体的には、本発明は、読み取り面上に配置されたＲＦＩＤ対応のゲーム用貨幣のメモリと通信し、メモリから読み取った情報をＬＣＤディスプレイまたはＬＥＤディスプレイに出力する高周波チップ読取装置に関する。
【背景技術】
【０００２】
ゲーム用のチップ、プラーク（ｐｌａｑｕｅ）、またはジェトン（ｊｅｔｏｎ）（すなわち、ゲーム用貨幣）に実装されたＲＦＩＤマイクロチップは、カジノ場の全体にわたってチップの動向の追跡および記録する上で安全かつ信頼性の高い方法を提供する。各チップは、チップの貨幣額がエンコードされた固有のタグを有するため、ＲＦＩＤ読取装置に近接させると、瞬時に識別および検証することができる。このため、ＲＦＩＤチップは、貨幣の集計およびカジノケージでの在庫管理手続き（ｃａｇｅ  ｉｎｖｅｎｔｏｒｙ  ｐｒｏｃｅｄｕｒｅ）の精度を改善する理想的な手段となる一方で、侵害することが不可能なレベルの安全性を貨幣に提供する。
【発明の概要】
【発明が解決しようとする課題】
【０００３】
ゲーム用貨幣には、偽造者および他の盗難機会による被害を受けやすいという大きな問題点があることから、ＲＦＩＤ対応のゲーム用貨幣（すなわち、貨幣の内部に組み込まれたＲＦＩＤタグまたはＲＦＩＤマイクロチップを有するゲーム用貨幣）は、利用可能な最も高いレベルのセキュリティの１つを提供する。さらに、チップ追跡システムと共にＲＦＩＤ対応のカジノ用貨幣を使用することによって、貨幣の所在、貨幣の動向、およびこれら以外について常時、大量の情報が入手可能となる。したがって、カジノの運営者は、そのスタッフが、任意の時間にカジノ場内の任意の場所において、迅速かつ正確にカジノ用貨幣の追跡、読み取り、認証、および集計を行うことを可能にする方法を恒常的に探し求めている。
【図面の簡単な説明】
【０００４】
【図１】図１は、本発明の一観点に係る携帯型チップ読取装置の実施形態の斜視図である。
【図２】図２は、ばね仕掛けのチップ引き出し（ｓｐｒｉｎｇ  ｌｏａｄｅｄ  ｃｈｉｐ  ｄｒａｗｅｒ）が開位置にある状態の、図１の携帯型チップ読取装置の実施形態の斜視図である。
【図３】図３は、図１の携帯型チップ読取装置を構成している様々な構成部品の分解図である。
【図４】図４は、携帯型チップ読取装置の別の実施形態の正面斜視図である。
【図５】図５は、図４の携帯型チップ読取装置の側面図である。
【図６】図６は、図４の携帯型チップ読取装置の正面斜視図であり、貨幣読み取り面のｘ軸、ｙ軸、およびｚ軸、ならびに、読取装置の貨幣読み取り面上に直接積み重ねられたカジノ用貨幣の中心軸の向き、および、貨幣読み取り面上の貨幣トレイに保管されたカジノ用貨幣の中心軸の向きを示している。
【発明を実施するための形態】
【０００５】
本発明の携帯型ゲーム用貨幣読取装置は、ＲＦＩＤ対応のカジノ用貨幣の認証および検証を行う、カジノのための方法および装置を提供する。より具体的には、本明細書で図示され、説明されている携帯型ゲーム用貨幣読取装置は、カジノのスタッフが、任意の時間に任意の場所において、迅速かつ正確にカジノ用貨幣の読み取り、認証、および集計を行うことを可能にする。携帯型読取装置により、ＲＦＩＤによる保護範囲が、ケージ（ｃａｇｅ）またはチップバンク（ｃｈｉｐ  ｂａｎｋ）からテーブル、ピット台、またはさらには集計場の裏にまで拡張される。一実施形態では、携帯型ゲーム用貨幣読取装置に関連付けられたＲＦＩＤ読取装置の高速な読み取り機能により、１秒ごとに数百もの貨幣の物品を読み取ることが可能である一方、これと同時に、前記ゲーム用貨幣が真正かつ正当であるか否かが識別される。これは、カジノのスタッフが、容易に、異質な非カジノ貨幣を識別し、取り除くことを可能とする上で主要な利点である。カジノの固有のロゴによってカスタマイズされる携帯型ケースに格納されたとき、携帯型ゲーム用貨幣読取装置は、貨幣読み取り面上に直接積み重ねられるか、または、貨幣トレイに入れられて読み取り面上に配置されるかのいずれかであるＲＦＩＤ対応のゲーム用貨幣を認証することができる。すべての検証情報は、認証されている個数および総金額を示すように構成されたディスプレイ上に現れる。
【０００６】
本発明の一観点によれば、図１は、本発明の一観点に係る携帯型チップ読取装置５の一実施形態を図示している。携帯型チップ読取装置５は、可搬的であり、かつゲーム場の環境内に複数の異なる方法で配置できるように構成されている。使用中、携帯型読取装置は、所有権および金額などを含むＲＦＩＤチップのスタンドアロン認証を行う。携帯型読取装置５は、１枚のチップから、トレイ内のまたは積み重ねられた状態の最大で数百枚のチップにも及ぶＲＦＩＤチップを認証するように構成されている。携帯型ゲーム用貨幣読取装置は、ゲーム産業では周知なように、一般に、高周波で動作するが、極超短波（ＵＨＦ）またはマイクロ波（ＭＷ）を利用して動作する場合もある。
【０００７】
図２は、ばね付き押し開け式引き出し（ｓｐｒｉｎｇ  ｌｏａｄｅｄ  ｐｕｓｈ  ｕｐ  ｄｒａｗｅｒ）２０が開位置にある状態の携帯型読取装置５を図示している。使用の際、シールドアンテナ（ｓｈｉｅｌｄｅｄ  ａｎｔｅｎｎａ）３５は持ち上げられ、トレイ内の、または、積み重ねられた状態のＲＦＩＤチップが、引き出し２０内に配置される。次に、引き出しが閉じられ、ユニットへの電源供給が開始される。携帯型読取装置５は、様々な計算を実行し、その後、チップの合計金額および総数をＬＣＤディスプレイまたはＬＥＤディスプレイ６０に出力する。携帯型読取装置５は、使用者が、ユニットの場所において即座にひとまとまりのチップの認証を行うことを可能にする。
【０００８】
図３は、携帯型読取装置５の様々な構成部品を示している。図示されている実施形態では、携帯型読取装置５は、一般に、読取装置ハウジング１０と、チップ引き出し２０と、取っ手２５と、ＲＦＩＤ読取装置３０と、シールドアンテナ３５と、オン／オフスイッチ４０と、電源アダプタ５０と、ＬＣＤディスプレイまたはＬＥＤディスプレイ６０とから構成される。図示されている実施形態では、ＲＦＩＤ読取装置３０は、Ｍａｇｅｌｌａｎ  Ｍｕｌｔｉｐｌｅ  Ａｎｔｅｎｎａ  Ｒｅａｄｅｒ  Ｓｙｓｔｅｍ（ＭＡＲＳ−２４）のＲＦＩＤ読取装置であり、これは、ＲＦＩＤチップの検証、在庫管理、監視、および制御を行うように設計されており、１秒間に何百ものタグの識別、読み取り、および書き込みを確実に行う能力を有する。しかしながら、当業者ならば分かるように、本発明の範囲および要旨から逸脱しなければ、任意の適切なＲＦＩＤ読取装置が使用されてもよい。
【０００９】
取っ手２５は、ハウジング１０の前面から突出する部分として図示されている。代替的な実施形態では、取っ手２５は、開閉を容易にするために引き出し２０の前面と連結され、ハウジング１０の前面の、取っ手２５が示されている場所には、凹部付きハンドグリップ機構（ｒｅｃｅｓｓｅｄ  ｈａｎｄ  ｇｒａｂ  ｍｅｃｈａｎｉｓｍ）（図示せず）が使用される。凹部付きハンドグリップ機構は、使用者の指を差し込むための凹部を有し、また、持ち運ぶ際に携帯型読取装置５の重量を支えるのに十分な強度がある。
【００１０】
図４は、ＲＦＩＤ対応のゲーム用貨幣１２５、１３０を読み取るための携帯型ゲーム用貨幣読取装置１００の別の実施形態を図示している。携帯型ゲーム用貨幣読取装置１００は、貨幣読み取り面１２０を有する携帯型読取装置ハウジング１０１を有する。取っ手１１０は、カジノのスタッフによってユニットが持ち運び可能となるように、携帯型読取装置ハウジング１０１と結合されている。図示されている実施形態では、携帯型読取装置ハウジング１０１には、ショルダーベルト（ｓｈｏｕｌｄｅｒ  ｈａｒｎｅｓｓ）（図示せず）を取り付けるための２つのループ１１１がさらに備わっており、ショルダーバッグと同様の仕方で読取装置１００を搬送することが可能となる。
【００１１】
貨幣読み取り面１２０は該面上にＲＦＩＤ対応のゲーム用貨幣を配置できるように構成され、携帯型ゲーム用貨幣読取装置１００の操作に従って、認証および検証の手続きを実行する。貨幣読み取り面１２０は、シールドアンテナ（図示せず）近接して配置されている。前記シールドアンテナは、貨幣読み取り面１２０上に配置されたＲＦＩＤ対応のゲーム用貨幣１２５、１３０に組み込まれたＲＦＩＤタグのそれぞれのメモリを読み取り、これと通信するように構成されている。図５は、貨幣読み取り面１５５が特定のロゴによってカスタマイズされた携帯型貨幣読取装置１５０の代替的な実施形態を図示している。
【００１２】
シールドアンテナは、ＲＦＩＤ読取装置（図示せず）と接続されている。ＲＦＩＤ読取装置は、貨幣読み取り面１２０上に配置されたＲＦＩＤ対応のゲーム用貨幣１２５、１３０に組み込まれたＲＦＩＤタグのそれぞれの識別、読み取り、および書き込みを行うためにシールドアンテナと通信するように構成されている。図示されている実施形態では、ＲＦＩＤ読取装置は、Ｍａｇｅｌｌａｎ  Ｍｕｌｔｉｐｌｅ  Ａｎｔｅｎｎａ  Ｒｅａｄｅｒ  Ｓｙｓｔｅｍ（ＭＡＲＳ−２４）のＲＦＩＤ読取装置であり、これは、ＲＦＩＤチップの検証、在庫管理、監視、および制御を行うように設計されており、１秒間に何百ものタグの識別、読み取り、および書き込みを確実に行う能力を有する。しかしながら、当業者ならば分かるように、本発明の範囲および要旨から逸脱しなければ、任意の適切なＲＦＩＤ読取装置が使用されてもよい。携帯型ゲーム用貨幣読取装置１００は、ゲーム産業では周知なように、一般に、高周波で動作するが、極超短波（ＵＨＦ）またはマイクロ波（ＭＷ）を利用して動作する場合もある。
【００１３】
一実施形態では、シールドアンテナは、貨幣読み取り面１２０上において２つの方向に配置されたＲＦＩＤ対応のゲーム用貨幣と関連付けられた各ＲＦＩＤタグの識別、読み取り、および書き込みを行うための二軸アンテナまたは二次元アンテナ（ｄｕａｌ−ａｘｉｓ  ｏｒ  ｔｗｏ−ｄｉｍｅｎｓｉｏｎａｌ  ａｎｔｅｎｎａ）である。別の実施形態では、シールドアンテナは、貨幣読み取り面１２０上において３つの方向に配置されたＲＦＩＤ対応のゲーム用貨幣と関連付けられた各ＲＦＩＤタグの識別、読み取り、および書き込みを行うための三軸アンテナまたは三次元アンテナ（ｔｒｉ−ａｘｉｓ  ｏｒ  ｔｈｒｅｅ−ｄｉｍｅｎｓｉｏｎａｌ  ａｎｔｅｎｎａ）である。シールドアンテナの２方向および３方向の読み取り能力については、図６においてさらに図示され、説明される。
【００１４】
さらに、携帯型読取装置ハウジング１０１は、ディスプレイ１０５を備える。ディスプレイ１０５は、貨幣読み取り面１２０上に配置されたＲＦＩＤ対応のゲーム用貨幣１２５、１３０に関する情報を表示するように構成されている。例えば、ディスプレイ１０５は、貨幣読み取り面１２０上に配置されたカジノ用貨幣１２５、１３０の総個数および総金額の双方を表示することができる。別の実施形態では、ディスプレイ１０５は、貨幣読み取り面上に配置されたカジノ用貨幣１２５、１３０が真正かつ正当なカジノ用貨幣であるか否かを識別し、認証結果を表示してもよい。さらに別の実施形態では、ディスプレイ１０５は、貨幣読み取り面上に配置された非ＲＦＩＤ対応のゲーム用貨幣、または、特定のカジノと関連していない、貨幣読み取り面上に配置されたＲＦＩＤ対応のゲーム用貨幣に関して、エラーメッセージを表示してもよい。携帯型ゲーム用貨幣読取装置１００は、ディスプレイ１０５上に示された情報を、記録、再表示などのために第２の場所に遠隔伝送するように、無線ネットワーク通信機能を備えてもよい。
【００１５】
図６は、携帯型ゲーム用貨幣読取装置１００のシールドアンテナ（図示せず）の二次元および三次元の方向を図示している。積み重ねられたカジノ用貨幣の中心線２００およびトレイ内のカジノ用貨幣の中心線２１０の双方が示されている。図示されているように、前記貨幣読み取り面のシールドアンテナは、貨幣読み取り面の幅方向に沿うｘ軸と、貨幣読み取り面の縦方向に沿うｙ軸と、貨幣読み取り面に対して垂直なｚ軸とを有する。一実施形態において、シールドアンテナが、貨幣読み取り面上において２つの方向に配置されたＲＦＩＤ対応のゲーム用貨幣と関連付けられた各ＲＦＩＤタグを識別、読み取り、および書き込みを行うための二軸アンテナまたは二次元アンテナである場合、図示されているように、トレイ内のカジノ用貨幣の中心線２１０はｙ軸と平行であり、貨幣読み取り面１２０上に直接積み重ねられたカジノ用貨幣の中心線２００はｚ軸と平行である。したがって、ＲＦＩＤ対応のカジノ用貨幣は、貨幣読み取り面上の２つの方向において、すなわち、ｙ軸およびｚ軸に沿って、ＲＦＩＤ読取装置によって読み取ることができる。
【００１６】
代替的な実施形態において、シールドアンテナが、貨幣読み取り面上において２つの方向に配置されたＲＦＩＤ対応のゲーム用貨幣と関連付けられた各ＲＦＩＤタグの識別、読み取り、および書き込みを行うための三軸アンテナまたは三次元アンテナである場合、トレイ内のカジノ用貨幣の中心線２１０は、図示されているように、ｙ軸と平行でもよいし、または、ｘ軸と平行でもよく（図示せず）、貨幣読み取り面１２０上に直接積み重ねられたカジノ用貨幣の中心線２００は、図示されているように、ｚ軸と平行である。したがって、ＲＦＩＤ対応のカジノ用貨幣は、貨幣読み取り面上の３つの方向において、すなわち、ｘ軸、ｙ軸、およびｚ軸に沿って、ＲＦＩＤ読取装置によって読み取ることができる。
【００１７】
使用の際、カジノのスタッフメンバーは、読み取り、認証、集計、および記録の行われるＲＦＩＤ対応のチップが存在する特定の場所へ、携帯型ゲーム用貨幣読取装置を持ち運ぶ。携帯型ゲーム用貨幣読取装置は、貨幣読み取り面と、当該貨幣読み取り面に近接して配置されたシールドアンテナと接続されたＲＦＩＤ読取装置と、前記貨幣読み取り面上に配置されたゲーム用貨幣の数量および金額の双方を表示するディスプレイと、ＲＦＩＤ読取装置およびディスプレイに電力を供給する電源とを有する。スタッフは、携帯型ゲーム用貨幣読取装置への電力供給を開始する。次に、このスタッフは、ＲＦＩＤ対応のゲーム用貨幣と関連付けられた少なくとも１つのＲＦＩＤタグを有する該ＲＦＩＤ対応のゲーム用貨幣を貨幣読み取り面上に配置する。
【００１８】
これに応答して、ＲＦＩＤ読取装置およびシールドアンテナが、貨幣読み取り面上に配置されたＲＦＩＤ対応のゲーム用貨幣と関連付けられた少なくとも１つのＲＦＩＤタグの識別、読み取り、および書き込みを行うために通信を行う。最後に、ディスプレイは、貨幣読み取り面上に配置されたＲＦＩＤ対応のゲーム用貨幣に関する情報（数量および金額など）を表示する。代替的な実施形態では、ＲＦＩＤ読取装置は、貨幣読み取り面上に配置されたカジノ用貨幣が、真正の正当なカジノ用貨幣であるか否かを識別し、ディスプレイは、当該ディスプレイ上に認証結果を示す。
【００１９】
携帯型読取装置の一実施形態では、貨幣読み取り面は、貨幣読み取り面の幅方向に沿うｘ軸と、貨幣読み取り面の縦方向に沿うｙ軸と、貨幣読み取り面に対して垂直なｚ軸とを有する。使用の際、ＲＦＩＤ対応の貨幣は、ゲーム用貨幣の中心線がｚ軸と平行になるように、積み重ねられた状態で貨幣読み取り面上に配置される。ＲＦＩＤ読取装置は、ＲＦＩＤ対応のゲーム用貨幣に組み込まれたＲＦＩＤタグから情報を正確に読み取ることができる。異なる使用の際、ＲＦＩＤ対応の貨幣は、ゲーム用貨幣の中心線がｙ軸と平行になるように、貨幣読み取り面上に配置される。ＲＦＩＤ読取装置は、ＲＦＩＤ対応のゲーム用貨幣に組み込まれたＲＦＩＤタグから情報を正確に読み取るように構成される。さらに別の実施形態では、三軸アンテナの動作に関して、ＲＦＩＤ対応の貨幣は、ゲーム用貨幣の中心線がｘ軸と平行になるように、貨幣読み取り面上に配置される。ＲＦＩＤ読取装置は、ＲＦＩＤ対応のゲーム用貨幣に組み込まれたＲＦＩＤタグから情報を正確に読み取るように構成される。
【００２０】
本明細書に開示されている方法は、特定の順序で実行される特定の動作に関して説明され、示されているが、これらの動作が、本発明の教示から逸脱することなく、均等な方法を形成するために組み合わされ、さらに分割され、または順序付けし直されてもよいことが理解されよう。したがって、本明細書で特に断らない限り、動作の順序および分類は、本発明の限定とはならない。
【００２１】
「一実施形態」もしくは「実施形態」または「一例」もしくは「例」への本明細書中の言及は、実施形態との関連で説明された特定の特徴、構造、または特性が、必要に応じて、本発明の少なくとも１つの実施形態に含まれることを意味していることが理解されるべきである。したがって、本明細書の様々な部分における、「実施形態」もしくは「一実施形態」もしくは「代替的な実施形態」または「一例」もしくは「例」への２若しくはそれ以上の言及のすべてが、必ずしも、同じ実施形態に言及しているわけではないことが理解されるべきである。さらに、特定の特徴、構造、または特性は、本発明の１若しくはそれ以上の実施形態において、必要に応じて組み合わせることができる。
【００２２】
同様に、本発明の例示的な実施形態の前述の記載に関して、本発明の様々な特徴が、場合によっては、様々な発明の観点の１若しくはそれ以上の開示の能率化、および、これの理解の円滑化を目的として、単一の実施形態、図、またはその記載において一まとめにされていることが理解されるべきである。
【００２３】
本発明は、本発明の様々な実施形態に言及しながら具体的に示され、説明されてきたが、本発明の要旨および範囲から逸脱することなく、形態および詳細に関して、様々な他の変更例が実施されてもよいことが、当業者によって理解されよう。
【図１】
2013544005.tif 000003
【図２】
2013544005.tif 000004
【図３】
2013544005.tif 000005
【図４】
2013544005.tif 000006
【図５】
2013544005.tif 000007
【図６】
2013544005.tif 000008
【国際調査報告】
2013544005.tif 000009